(57)【要約】【課題】適宜長さの柄棒１１、及び柄棒の基部に設けた把手１２とからなる柄部１と、柄部先端に、柄棒軸線を中心として対向させ下端部が近接して対向空間で土を抱持する形状とした掘削部２とで構成した穴掘り具の操作性を改善する。【解決手段】掘削部２を所定形状の匙部２２と、柄棒軸線と一致し且つ匙部先端より突出した刺軸２３とで構成し、掘削作業に際して、穴の中心位置に刺軸２３を差込み、刺軸を中心に柄部を回転させ器具を地面中に押し込み、器具を傾斜させることなく軸芯方向（柄棒軸線方向）に掘削される。【選択図】　図１
0003098667.tif 000002
【実用新案登録請求の範囲】
【請求項１】
適宜長さの柄棒、及び柄棒の基部に設けた把手とからなる柄部と、柄部先端に、柄棒軸線を中心として対向させ下端部が近接して対向空間で土を抱持する形状とした匙部、及び柄棒軸線と一致し且つ匙部先端より突出した刺軸とからなる掘削部とで構成したことを特徴とする穴掘り具。
【請求項２】
匙部の一側縁が、焼入れ処理がなされている請求項１記載の穴掘り具。
【請求項３】
掘削部を、柄棒と連結した匙板装着部と、前記匙板装着部に装着可能とした匙板とで形成した請求項１又は２記載の穴掘り具。
【請求項４】
下方開口コの字状で、側板部にボルト孔を設けた匙板装着部と、匙板の基部にボルト孔を穿設した匙板で掘削部を構成した請求項３記載の穴掘り具。
【考案の詳細な説明】
【０００１】
【産業上の利用分野】
本考案は、植木等の植栽や、杭など立込みのために地面に穴を掘削するための手道具に関するものである。
【０００２】
【従来技術】
地面に穴を掘削する手道具としては、スコップが周知であるが、小さい径の深い孔を掘削するに際しては、穴底の土を排出するのに不便であるため、従前より穴掘り専用の特殊な形状の手道具が知られている。
【０００３】
具体的には、匙体に長い柄を有するスコップ本体を二つ相対向して設け、匙体の上部箇所で、柄部を交差させたり、あるいは交差させずに枢結し、柄部の開閉操作で対向匙体の開閉を行い、穴底の土を掘削し地面上に排出しているものである（特許文献１，２）。
【０００４】
しかし二本の柄部を操作して穴底の土を掘り出す場合、柄部の操作が煩雑であることや、操作中に誤って柄部の開閉操作をしてしまうと、掘削土が零れてしまう等の使いにくさがあった。
【０００５】
このため本願出願人は、単一柄で、柄の先部に柄棒軸線を中心として対向させ下端部が近接し、対向空間で土を抱持する形状とした匙部を設けた穴掘り具を市場に提供した（特許文献３）。
【０００６】
【特許文献１】
特開平９−６７８２８号公報。
【特許文献２】
登録実用新案第３０９１２５９号公報。
【特許文献３】
意匠登録第１０３３９５３号公報
【０００７】
【考案が解決しようとする課題】
ところで前記の単一柄の穴掘り具は、二本柄の器具に比べて操作性で優れているが、それでも、掘削位置並びに掘削方向のずれ（斜め方向に掘り下げる場合がある）などが生ずる。
【０００８】
また掘削穴の大きさも原則として器具の大きさによって決定されてしまい（匙部の大きさで定まる）。器具の設定している大きさより大きい穴を掘削する場合には、掘削した穴の周壁を削り取るような操作が必要となる。
【０００９】
そこで本考案は、掘削作業時の器具の操作性を高める改良、並びに所望の掘削穴の大きさに容易に対応できる改良を施した器具を提案したものである。
【００１０】
【課題を解決する手段】
本考案に係る穴掘り具は、適宜長さの柄棒、及び柄棒の基部に設けた把手とからなる柄部と、柄部先端に、柄棒軸線を中心として対向させ下端部が近接して対向空間で土を抱持する形状とした匙部、及び柄棒軸線と一致し且つ匙部先端より突出した刺軸とからなる掘削部とで構成したことを特徴とするものである。
【００１１】
従って掘削作業に際して、穴の中心位置に刺軸を差込み、刺軸を中心に柄部を回転させ器具を地面中に押し込むと、器具は傾斜することなく軸芯方向（柄棒軸線方向）に掘削して、穴底面部分の土は匙部内空間に抱持され、地表に排出される。
【００１２】
また本考案に係る器具は、更に掘削部を、柄棒と連結した匙板装着部と、前記匙板装着部に装着可能とした匙板とで形成したものであるから、匙板を取り替えることで匙板の対向空間の幅を変えることができ、穴の径が変更されても対応できる。
【００１３】
【実施例】
次に本考案の実施例について説明する。図１及び図２は、本考案の第一実施例を示したもので、基本的には従前の器具と同様に柄部１と掘削部２とで構成されている。
【００１４】
柄部１は、適宜長さ柄棒１１と、前記の柄棒１１の基部に横設した把手１２とからなり、柄棒１１は、後述する掘削部２の上面板２１を貫通して刺軸２３としているものである。
【００１５】
掘削部２は、上面板２１と、上面板２１の側方から垂下させた匙板（匙部）２２と、刺軸２３とで構成される。
【００１６】
上面板２１は柄棒１１と溶接され、柄棒１１をその中心に貫通させてなる。匙板２２は、柄棒１１の軸線（後述する刺軸中心線）を中心として相対向させた湾曲板で、下端部が上方部分より互いに近接して対向空間で土を抱持する形状とし、更に上方から見た時計回り方向の先端となる側縁に刃を形成したものである。特に刃部分は焼き入れを行って硬く形成してなる。
【００１７】
刺軸２３は、前述のとおり柄棒１１の延長であるが、先端は匙板２２より下方に適宜長さ突出させると共に、地面への刺突が容易なように尖らしてなる。
【００１８】
而して前記器具を使用しての穴掘りは、掘削箇所の中心に刺軸２３を突き刺し、器具を下圧しながら上方視時計回り方向に回転させ、匙板２２の刃縁で地面を切り裂きながら器具を沈下させる。そして器具全体を持ち上げることで匙板２２間に抱持された土が地表に排出されることになり、これを繰り返すことで所望の穴を掘削できるものである。
【００１９】
特に器具の手動回転操作に際して地面に刺突された刺軸２３を中心に器具を回転操作するので、操作し易く且つ所定の方向に掘削が進行する。
【００２０】
図３及び図４は、本考案の第二実施例で、この実施例に示した器具は、第一実施例の上面板と匙板を分離した構成を採用したものである。
【００２１】
すなわち第一実施例と同様に柄部と掘削部３とで構成されている。柄部は、第一実施例と同様である。掘削部３は、柄棒と一体の刺軸３３と匙板装着部３１と、分離形成された匙板３２とで構成される。
【００２２】
匙板装着部３１は、下方開口コの字状で、上板３１１は上面板２１と同様に、柄棒と溶接され、柄棒をその中心に貫通させ刺軸３３を連設してなり、側面板３１２に、ボルト孔３１３を形成したものである。
【００２３】
匙板３２ａ，３２ｂは、上方にボルト孔３２１を設けた取付部３２２とし、掘削作用をなす匙部３２３は、外周側（装着状態で）への張り出し径が異なる数種類を用意し、必要に応じて選択して装着するもので、装着時には、当然下端部が上方部分より互いに近接して対向空間で土を抱持する形状となるように形成したものである。
【００２４】
而して所望の掘削穴の大きさに対応して適宜な匙板３２ａを選択し、ボルト４及びナット５で連結固定し、第一実施例同様に使用するものである。
【００２５】
【考案の効果】
以上のように本考案は、適宜長さの柄棒、及び柄棒の基部に設けた把手とからなる柄部と、柄部先端に、柄棒軸線を中心として対向させ下端部が近接して対向空間で土を抱持する形状とした匙部、及び柄棒軸線と一致し且つ匙部先端より突出した刺軸とからなる掘削部とで構成した穴掘り具であり、また特に掘削部を、柄棒と連結した匙板装着部と、前記匙板装着部に装着可能とした匙板とで形成した穴掘り具で、掘削作業時の器具操作性を向上させ、更に掘削穴の形態の相違にも対応できるようにしたものである。
【図面の簡単な説明】
【図１】本考案の第一実施例の全体斜視図。
【図２】同一部拡大図。
【図３】本考案の第二実施例の要部斜視図。
【図４】同正面図。
【符号の説明】
１　　　　　柄部
１１　　　　柄棒
１２　　　　把手
２，３　　　掘削部
２１　　　　上面板
３１　　　　匙板装着部
３１１　　　上板
３１２　　　側面板
３１３　　　ボルト孔
２２　　　　匙板（匙部）
３２ａ，３２ｂ　　匙板
３２１　　　ボルト孔
３２２　　　取付部
３２３　　　匙部
２３，３３　　刺軸
【図１】
0003098667.tif 000003
【図２】
0003098667.tif 000004
【図３】
0003098667.tif 000005
【図４】
0003098667.tif 000006